(57)【要約】  開示の実施例は、高周波（ＲＦ）受信機モジュール（１００）に関する。一実施例に係るＲＦ受信機モジュール（１００）は、ベース（１０２）と、音声信号源からＲＦ信号を受信する、ベース（１０２）に固定されたＲＦコネクタ（１０４）と、ＲＦ受信機モジュール（１００）を音声システムメインプリント回路基板（２０６）に接続するケーブル（２０６）を受け入れてＲＦ信号に由来する音声信号を音声システムメインプリント回路基板（２０６）に送信する、ベース（１０２）に固定されたケーブルコネクタ（１０６）とを含む。
2010524392.tif 000002
【特許請求の範囲】
【請求項１】
高周波（ＲＦ）受信機モジュール（１００）であって、
ベース（１０２）と、
音声信号源からＲＦ信号を受信する、前記ベース（１０２）に固定されたＲＦコネクタ（１０４）と、
前記ＲＦ受信機モジュール（１００）を音声システムメインプリント回路基板（２０６）に接続するケーブル（２０６）を受け入れて前記ＲＦ信号に由来する音声信号を前記音声システムメインプリント回路基板（２０６）に送信する、前記ベース（１０２）に固定されたケーブルコネクタ（１０６）と
を含むＲＦ受信機モジュール（１００）。
【請求項２】
前記ケーブルコネクタ（１０６）はリボンケーブル（２０４）を受け入れる、請求項１に記載のＲＦ受信機モジュール（１００）。
【請求項３】
前記ケーブルコネクタ（１０６）は、前記音声システムメインプリント回路基板（２０６）から受信したパワー信号を前記ＲＦ受信機モジュール（１００）に与える、請求項１に記載のＲＦ受信機モジュール（１００）。
【請求項４】
前記ＲＦ受信機モジュール（１００）は、音声システム（２００）において前記音声システムメインプリント回路基板（２０６）から離間される、請求項１に記載のＲＦ受信機モジュール（１００）。
【請求項５】
前記ＲＦ受信機モジュール（１００）は、音声システム（３００）において前記音声システムメインプリント回路基板（３０４）に対して周縁かつほぼ直角に配置される、請求項１に記載のＲＦ受信機モジュール（１００）。
【請求項６】
前記ＲＦ信号はＸＭ衛星ラジオ信号を含む、請求項１に記載のＲＦ受信機モジュール（１００）。
【請求項７】
前記ＲＦ信号はシリウス衛星ラジオ信号を含む、請求項１に記載のＲＦ受信機モジュール（１００）。
【請求項８】
前記ＲＦ信号はＡＭ／ＦＭラジオ信号を含む、請求項１に記載のＲＦ受信機モジュール（１００）。
【請求項９】
前記ＲＦ信号はグローバルポジショニングシステム（ＧＰＳ）信号を含む、請求項１に記載のＲＦ受信機モジュール（１００）。
【請求項１０】
前記ＲＦ信号はデジタル音声放送（ＤＡＢ）デジタルラジオ信号を含む、請求項１に記載のＲＦ受信機モジュール（１００）。
【請求項１１】
前記ＲＦ信号は携帯電話信号を含む、請求項１に記載のＲＦ受信機モジュール（１００）。
【請求項１２】
音声システム（２００）であって、
音声システムメインプリント回路基板（ＰＣＢ）（２０６）と、
高周波（ＲＦ）受信機モジュール（１００）と
を含み、
前記ＲＦ受信機モジュール（１００）は、
音声信号源からＲＦ信号を受信する、ベース（１０２）に固定されたＲＦコネクタ（１０４）と、
前記ＲＦ受信機モジュール（１００）を音声システムメインプリント回路基板（２０６）に接続するケーブル（２０６）を受け入れて前記ＲＦ信号に由来する音声信号を前記音声システムメインプリント回路基板（２０６）に送信する、前記ベース（１０２）に固定されたケーブルコネクタ（１０６）と
を有し、
前記ＲＦ受信機モジュール（１００）は、前記音声システムメインプリント回路基板（２０６）から離間される音声システム（２００）。
【請求項１３】
前記ケーブルコネクタ（１０６）はリボンケーブル（２０４）を受け入れる、請求項１２に記載の音声システム（２００）。
【請求項１４】
前記ケーブルコネクタ（１０６）は、前記音声システムメインプリント回路基板（２０６）から受信したパワー信号を前記ＲＦ受信機モジュール（１００）に与える、請求項１２に記載の音声システム（２００）。
【請求項１５】
前記ＲＦ信号はＸＭ衛星ラジオ信号を含む、請求項１２に記載の音声システム（２００）。
【請求項１６】
前記ＲＦ信号はシリウス衛星ラジオ信号を含む、請求項１２に記載の音声システム（２００）。
【請求項１７】
前記ＲＦ信号はＡＭ／ＦＭラジオ信号を含む、請求項１２に記載の音声システム（２００）。
【請求項１８】
前記ＲＦ信号はグローバルポジショニングシステム（ＧＰＳ）信号を含む、請求項１２に記載の音声システム（２００）。
【請求項１９】
前記ＲＦ信号はデジタル音声放送（ＤＡＢ）デジタルラジオ信号を含む、請求項１２に記載の音声システム（２００）。
【請求項２０】
前記ＲＦ信号は携帯電話信号を含む、請求項１２に記載の音声システム（２００）。
【請求項２１】
音声システム（３００）であって、
音声システムメインプリント回路基板（ＰＣＢ）（３０４）と、
高周波（ＲＦ）受信機モジュール（１００）と
を含み、
前記ＲＦ受信機モジュール（１００）は、
音声信号源からＲＦ信号を受信する、ベース（１０２）に固定されたＲＦコネクタ（１０４）と、
前記ＲＦ受信機モジュール（１００）を音声システムメインプリント回路基板（３０４）に接続するケーブル（２０６）を受け入れて前記ＲＦ信号に由来する音声信号を前記音声システムメインプリント回路基板（３０４）に送信する、前記ベース（１０２）に固定されたケーブルコネクタ（１０６）と
を有し、
前記ＲＦ受信機モジュール（１００）は、音声システム（３００）において前記音声システムメインプリント回路基板（３０４）に対して周縁かつほぼ直角に配置される音声システム（３００）。
【請求項２２】
前記ケーブルコネクタ（１０６）はリボンケーブル（２０４）を受け入れる、請求項２１に記載の音声システム（３００）。
【請求項２３】
前記ケーブルコネクタ（１０６）は、前記音声システムメインプリント回路基板（３０４）から受信したパワー信号を前記ＲＦ受信機モジュール（１００）に与える、請求項２１に記載の音声システム（３００）。
【請求項２４】
前記ＲＦ信号はＸＭ衛星ラジオ信号を含む、請求項２１に記載の音声システム（３００）。
【請求項２５】
前記ＲＦ信号はシリウス衛星ラジオ信号を含む、請求項２１に記載の音声システム（３００）。
【請求項２６】
前記ＲＦ信号はＡＭ／ＦＭラジオ信号を含む、請求項２１に記載の音声システム（３００）。
【請求項２７】
前記ＲＦ信号はグローバルポジショニングシステム（ＧＰＳ）信号を含む、請求項２１に記載の音声システム（３００）。
【請求項２８】
前記ＲＦ信号はデジタル音声放送（ＤＡＢ）デジタルラジオ信号を含む、請求項２１に記載の音声システム（３００）。
【請求項２９】
前記ＲＦ信号は携帯電話信号を含む、請求項２１に記載の音声システム（３００）。
【発明の詳細な説明】
【技術分野】
【０００１】
本発明は一般に音声システムに関する。本発明は詳しくは、音声システム設計用途の幅広い使用に対して高度にコンフィギュラブルな高周波（ＲＦ）チューナモジュールに関する。
【背景技術】
【０００２】
従来のＲＦチューナモジュール用途において、ＲＦチューナモジュールは、ヘッダコネクタを介して音声システムメインプリント回路基板（ＰＣＢ）に直接取り付けられていた。この態様でＲＦチューナモジュールをメインＰＣＢに取り付けるには、音声システムメインＰＣＢに対してＲＦチューナモジュールを安定させるべく機械的なブラケットのような付加的要素の使用が必要となる。また、メインＰＣＢにＲＦ受信機モジュールを直接取り付けるには、メインＰＣＢ上の貴重な基板スペースが占有され、付加的な手作業による挿入工程、及び組み付けのための付加的なはんだ付け工程が必要となる。これらの付加的な工程は、製造品質及びコストの観点から望ましくない。
【先行技術文献】
【特許文献】
【０００３】
【特許文献１】米国特許第７，１０９，８３１号明細書
【特許文献２】米国特許出願公開第２００５／０２２７７４４号明細書
【発明の概要】
【０００４】
開示の実施例は、高周波（ＲＦ）受信機モジュールに関する。ＲＦ受信機モジュールの典型的な実施例は、ベースと、音声信号源からＲＦ信号を受信する、ベースに固定されたＲＦコネクタと、ＲＦ受信機モジュールを音声システムメインプリント回路基板に接続するケーブルを受け入れてＲＦ信号に由来する音声信号を音声システムメインプリント回路基板に送信する、ベースに固定されたケーブルコネクタとを含む。
【０００５】
添付の図面を伴う本発明の一実施例の以下の説明に関連して、本発明の上記の及び他の特徴及び利点並びにこれらを実現する態様が明らかとなり、かつ、よりよく理解される。
【０００６】
いくつかの図面を通じて、対応する参照符号は対応する部材を示す。本明細書に記載される例示は本発明の好ましい実施例を１つの形態で説明するが、かかる例示はどんな態様であっても本発明の範囲を制限するように解釈してはならない。
【図面の簡単な説明】
【０００７】
【図１】本発明の一実施例に係るＲＦ受信機モジュールの斜視図である。
【図２】本発明の一実施例に係る音声システムの斜視図である。
【図３】本発明の一実施例に係る代替的な音声システムの斜視図である。
【発明を実施するための形態】
【０００８】
本セクションは、以下に記載され及び／又は請求項に記載あれる本発明の様々な側面に関連する技術の様々な側面を読者に紹介する。本説明が、本発明の様々な側面のよりよき理解を容易にするためのバックグラウンド知識を読者に与えるのに役立つと信じる。したがって、かかる記載はこの観点から読むべきであり、従来技術の認定として読んではならない。
【０００９】
本発明の実施例は、音声システム設計のフレキシビリティを向上させることができる。特に、本発明の一実施例に係るＲＦ受信機モジュールは、幅広い物理的なシステムコンフィギュレーションをサポートする。これは、当該ＲＦ受信機モジュールが音声システムメインＰＣＢに直接固定される必要がないからである。さらに、本発明の一実施例により構成されたＲＦ受信機モジュールは、システムメインＰＣＢから離れて配置され若しくは離間され、又は従来の音声システム設計よりも著しく少ないスペースで済む態様でシステムメインＰＣＢに取り付けられる。
【００１０】
図１は、本発明の一実施例に係るＲＦ受信機モジュールの斜視図である。当該ＲＦ受信機モジュールは一般に参照番号１００により参照する。ＲＦ受信機モジュール１００はベース１０２を含む。ベース１０２は、ＲＦ信号を受信しデコードする様々な電子要素のためのサポートとして機能する。ＲＦ受信機モジュール１００の実施例は、以下のタイプの信号の１つ以上のためのデコーダを含む：ＸＭ衛星ラジオ、シリウス衛星ラジオ、グローバルポジショニングシステム（ＧＰＳ）、ＷｉＭＡＸ、デジタル音声放送（ＤＡＢ）デジタルラジオ、携帯電話又は同様の受信機及びトランシーバ。本発明の一実施例に係る音声システムは、１つ以上のＲＦ受信機モジュールを含む。ＲＦ受信機モジュールのそれぞれは、１つ以上の信号タイプを受信しデコードする。
【００１１】
ＲＦ受信機モジュール１００は、ＲＦコネクタ１０４及びリボンケーブルコネクタ１０６を含む。ＲＦコネクタ１０４は、アンテナ（不図示）のような信号源からＲＦ信号を受信する。受信されたＲＦ信号は、ＲＦ受信機モジュール１００のベース１０２に配置された回路によりデコードされる。例示のＲＦコネクタ１０４は、コネチカット州ダンベリーＣＴ０６８１０、フォー・オールド・ニュータウン・ロードのアンフェノールＲＦにより製造される。かかるコネクタは、ＦＡＫＲＡ及びＵＳＣＡＲ規格のような工業規格に適合するように設計されてよい。ＲＦコネクタ１０４がＲＦ受信機モジュール１００上に存在することにより、ＲＦケーブルがＲＦインターフェイスを作るべく接続される必要性が低くなる。メインＲＦインターフェイスコネクタをモジュール内に組み込むことにより、性能とコストとが最適化できる。ピグテールＲＦケーブル又はメイン基板インターフェイス回路の必要性がなくなる。モジュールが、アンテナケーブルとの直接のインターフェイスとなり得る。モジュールは音声ユニット内の任意の場所に置くことができる。全体的に、本方法は、コスト効果のある態様で実装の容易性を与える一方で、モジュール設計の性能の完全性を維持する。
【００１２】
リボンケーブルコネクタ１０６は、汎用音声処理回路をサポートする音声システムメインＰＣＢに接続するリボンケーブルを収容する。例えば、音声システムＰＣＢは、当該音声システムの全体的な動作を制御するプロセッサを含んでよい。さらに、音声システムメインＰＣＢは、ユーザによる信号源、音量等のようなシステムパラメータの選択を容易にしてよい。本発明の実施例において、リボンケーブルコネクタ１０６は、音声システムメインＰＣＢから受信されたパワー信号をＲＦ受信機モジュール１００に与える。図２及び図３を参照して以下に説明されるように、リボンケーブルコネクタ１０６の一実施例は、受信されたＲＦ信号に由来する音声信号を音声システムメインＰＣＢに送信するべくＲＦ受信機モジュール１００を音声システムメインＰＣＢに接続する。図２及び図３を参照して以下に説明されるように、リボンケーブルコネクタ１０６の一実施例は、受信されたＲＦ信号に由来する音声（及びデータ）信号を音声システムメインＰＣＢに送信するべくＲＦ受信機モジュール１００を音声システムメインＰＣＢに接続する。
【００１３】
ＲＦ受信機モジュール１００の一実施例は音声システムメインＰＣＢに柔軟に結合されて、ＲＦ受信機モジュール１００が所定のシステム設計の製品スペース内の任意の場所にフレキシブルに配置できる。本発明の一実施例（例えば図２に示される実施例）において、リボンケーブルコネクタ１０６により、ＲＦ受信機モジュール１００を音声システムメインＰＣＢに対して離間関係で配置することができる。他実施例（例えば図３に示される実施例）において、ＲＦ受信機モジュール１００は、音声システムメインＰＣＢに対して周縁かつほぼ直角に配置される。
【００１４】
図２は、本発明の一実施例に係る音声システムの斜視図である。当該音声システムは一般に参照番号２００により参照する。音声システム２００の一実施例は、シャーシ２０２を含む。シャーシ２０２は、ＲＦ受信機モジュール１００のようなシステム要素をサポートする。音声システム２００において、ＲＦ受信機モジュール１００はシャーシ２０２の近くに配置される。ＲＦコネクタ１０４は、アンテナ（不図示）のような信号源からＲＦ信号を受信する。ＲＦ受信機モジュール１００と音声システムメインＰＣＢ２０６との間にリボンケーブル２０４が接続される。図２に示されるように、音声システムメインＰＣＢ２０６は、リボンケーブル２０４を介した接続ゆえにＲＦ受信機モジュール１００から離間される。さらに、ＲＦ受信機モジュール１００は、システム設計基準に応じて音声システム２００のシャーシ２０２内における任意の所定位置に配置してよい。
【００１５】
図３は本発明の一実施例に係る音声システムの斜視図である。当該音声システムは一般に参照番号３００により参照される。音声システム３００はシャーシ３０２を含む。シャーシ３０２は、システム３００の様々な要素を固定する。音声システムメインＰＣＢ３０４はシャーシ３０２に取り付けられる。図３に示される実施例において、ＲＦ受信機モジュール１００は、音声システムメインＰＣＢ３０４に対して周縁かつほぼ直角に配置される。ＲＦ受信機モジュール１００のリボンケーブル（不図示）を介した音声システムメインＰＣＢ３０４への接続により、取付ブラケットのような付加的な取付ハードウェアをなくすことができる一方で、ＲＦ受信機モジュール１００を音声システムメインＰＣＢ３０４上のスペースの使用を最小限にする態様で配置することができる。
【００１６】
図３に示されるように、ＲＦ受信機モジュール１００は、ＲＦコネクタ１０４がシャーシ３０２の背面から延びる態様で配置される。上述のように、ＲＦコネクタ１０４は、ＲＦ信号源（不図示）に接続されてよい。音声システム３００は、フェースプレート３０６を含む。フェースプレート３０は、ユーザによる様々な制御へのアクセスを与えてよい。
【００１７】
本発明には様々な変更及び代替形態が考えらるが、具体的な実施例が図面の例により示され、本明細書に詳細に説明される。しかし、本発明は、開示の特定の形態に限られるわけではない。むしろ、本発明は、添付の特許請求の範囲に規定される本発明の要旨及び範囲内に収まる変更、均等及び代替をすべてカバーする。
【図１】
2010524392.tif 000003
【図２】
2010524392.tif 000004
【図３】
2010524392.tif 000005
【国際調査報告】
2010524392.tif 000006
2010524392.tif 000007